(57)【要約】【課題】奥行き方向の寸法を選択でき、製造や在庫コストを低減できると共に、意匠性も向上させることのできる棚を提供する。【解決手段】上フレーム１０と下フレーム１１及び左右の縦フレーム１２を方形状に組んでなるフレーム体１内に、左右に渡る棚板２を設けてなり、上フレーム１０と下フレーム１１及び左右の縦フレーム１２は、いずれも手前側フレーム材３０、３３と奥側フレーム材３１、３４及び該奥側フレーム材と手前側フレーム材との間に設けられる中間フレーム材３２、３５とが連結されてなる。【選択図】図３
2008307112.tif 000002
【特許請求の範囲】
【請求項１】
上フレームと下フレーム及び左右の縦フレームを方形状に組んでなるフレーム体内に、左右に渡る棚板を設けてなる棚において、
前記上フレームと下フレーム及び左右の縦フレームは、いずれも手前側フレーム材と奥側フレーム材及び該奥側フレーム材と手前側フレーム材との間に設けられる中間フレーム材とが連結されてなることを特徴とする棚。
【請求項２】
前記手前側フレーム材と奥側フレーム材は内外対称形状に形成された同一部材からなり、前記手前側フレーム材と奥側フレーム材または前記中間フレーム材は、奥行き方向の寸法が異なる複数種類の部材が用意され、該複数種類の部材のうち選択された寸法の部材が、前記手前側フレーム材と奥側フレーム材または前記中間フレーム材として前記上フレームと下フレーム及び左右の縦フレームを構成することを特徴とする請求項１記載の棚。
【請求項３】
少なくとも前記縦フレームを構成する前記中間フレーム材は透光性を有するパネルからなることを特徴とする請求項１または２記載の棚。
【請求項４】
前記棚板は、いずれも手前側棚板材と奥側棚板材及び該奥側棚板材と手前側棚板材との間に設けられる中間棚板材とが連結されてなることを特徴とする請求項１〜３のいずれか１項に記載の棚。
【請求項５】
前記中間棚板材は透光性を有するパネルからなることを特徴とする請求項４記載の棚。
【発明の詳細な説明】
【技術分野】
【０００１】
本発明は、フレーム体内に棚板を左右に渡してなる棚に関し、特に奥行き方向の寸法を選択可能で意匠性にも優れた棚に関する。
【背景技術】
【０００２】
従来、上下の横フレーム材と左右の縦フレーム材を組んでなるフレーム体の内部に、棚板を左右に渡してなる棚が知られている。また、フレーム体の材質として、アルミ材を用いることも知られている。このような棚としては、例えば特許文献１に挙げるようなものがある。
【特許文献１】特開２００４−５２４４３号公報
【発明の開示】
【発明が解決しようとする課題】
【０００３】
従来の棚は、フレーム体を構成する横フレーム材と縦フレーム材が、奥行き方向に所定の寸法を有した部材を用いている。このため、奥行き方向の寸法が異なる棚毎に、それぞれ別々の部材を用意する必要があり、それを形成するための金型もそれぞれに必要であった。このため、製造コストが高くなると共に、在庫コストも高くなっていた。また、各フレーム材は単純な板形状に形成されているために、意匠性にも乏しいものであった。
【０００４】
本発明は、前記問題点を解決すべくなされたものであり、奥行き方向の寸法を選択でき、製造や在庫コストを低減できると共に、意匠性も向上させることのできる棚を提供することを目的とする。
【課題を解決するための手段】
【０００５】
前記課題を解決するため、本発明に係る棚は、上フレームと下フレーム及び左右の縦フレームを方形状に組んでなるフレーム体内に、左右に渡る棚板を設けてなる棚において、
前記上フレームと下フレーム及び左右の縦フレームは、いずれも手前側フレーム材と奥側フレーム材及び該奥側フレーム材と手前側フレーム材との間に設けられる中間フレーム材とが連結されてなることを特徴として構成されている。
【０００６】
また、本発明に係る棚は、前記手前側フレーム材と奥側フレーム材は内外対称形状に形成された同一部材からなり、前記手前側フレーム材と奥側フレーム材または前記中間フレーム材は、奥行き方向の寸法が異なる複数種類の部材が用意され、該複数種類の部材のうち選択された寸法の部材が、前記手前側フレーム材と奥側フレーム材または前記中間フレーム材として前記上フレームと下フレーム及び左右の縦フレームを構成することを特徴として構成されている。
【０００７】
さらに、本発明に係る棚は、少なくとも前記縦フレームを構成する前記中間フレーム材は透光性を有するパネルからなることを特徴として構成されている。
【０００８】
さらにまた、本発明に係る棚は、前記棚板は、いずれも手前側棚板材と奥側棚板材及び該奥側棚板材と手前側棚板材との間に設けられる中間棚板材とが連結されてなることを特徴として構成されている。
【０００９】
そして、本発明に係る棚は、前記中間棚板材は透光性を有するパネルからなることを特徴として構成されている。
【発明の効果】
【００１０】
本発明に係る棚によれば、上フレームと下フレーム及び左右の縦フレームは、いずれも手前側フレーム材と奥側フレーム材及び該奥側フレーム材と手前側フレーム材との間に設けられる中間フレーム材とが連結されてなることにより、各部材の見込寸法を小さくすることができるので、それらを形成するために必要な金型を小型化でき、金型費を低くすることができ、またいずれか１つの部材の奥行き寸法を変えるだけで全体の奥行き寸法を変更できるので、低コストで寸法違いに対応できると共に、管理コストも低減することができる。
【００１１】
また、本発明に係る棚によれば、手前側フレーム材と奥側フレーム材は内外対称形状に形成された同一部材からなり、手前側フレーム材と奥側フレーム材または中間フレーム材は、奥行き方向の寸法が異なる複数種類の部材が用意され、複数種類の部材のうち選択された寸法の部材が、手前側フレーム材と奥側フレーム材または中間フレーム材として上フレームと下フレーム及び左右の縦フレームを構成することにより、１種類の部材のみ奥行き方向寸法を選択するだけで全体の奥行き寸法を変更でき、その他の部材は共用化することができる。
【００１２】
さらに、本発明に係る棚によれば、中間フレーム材は透光性を有するパネルからなることにより、意匠性を向上させることができる。
【００１３】
さらにまた、本発明に係る棚によれば、棚板は、いずれも手前側棚板材と奥側棚板材及び該奥側棚板材と手前側棚板材との間に設けられる中間棚板材とが連結されてなることにより、棚板についても各部材の見込寸法を小さくして金型費を低くでき、またいずれか１つの部材の奥行き寸法を変えるだけで全体の奥行き寸法を変更できるので、低コストで寸法違いに対応できると共に、管理コストも低減することができる。
【００１４】
そして、本発明に係る棚によれば、中間棚板材は透光性を有するパネルからなることにより、意匠性を向上させることができる。
【発明を実施するための最良の形態】
【００１５】
本発明の実施形態について図面に沿って詳細に説明する。図１には、本実施形態における棚の正面図を示している。この図に示すように、本実施形態における棚は、上フレーム材１０と下フレーム材１１及び左右の縦フレーム材１２を方形状に組んでなるフレーム体１の内部に、複数の棚板２を左右に渡して構成されている。また、背面側には略全面に渡って背板３が設けられている。
【００１６】
上フレーム材１０は、縦フレーム材１２の上端との間に若干隙間を有するように配置され、この隙間の領域を塞ぐ上部塞ぎ板２３が設けられる。また、下フレーム材１１も同様に、縦フレーム材１２の下端との間に若干隙間を有するように配置され、この隙間の領域を塞ぐ下部塞ぎ板２４が設けられる。
【００１７】
棚板２は、最上段に位置する上部棚板２０と、最下段に位置する下部棚板２１と、上部棚板２０及び下部棚板２１の間に３段設けられる中棚板２２とからなっている。上部棚板２０と上フレーム材１０との間の中央位置には、上下方向の補強のために方立板２５が設けられている。また、下フレーム材１１と下部棚板２１との間の中央位置にも、方立板２５が設けられている。
【００１８】
図２には、図１のＡ−Ａ断面図を示している。この図に示すように、左右の縦フレーム材１２は、いずれも奥行き方向に３つの部材からなっている。この３つの部材は、手前側から順に手前側縦フレーム材３３と中間縦フレーム材３５及び奥側縦フレーム材３４とからなっており、これらが連結されることで縦フレーム材１２を構成している。
【００１９】
手前側縦フレーム材３３と奥側縦フレーム材３４は、同一形状の断面中空状に形成されたアルミ材によって構成されている。図２に示すように、手前側縦フレーム材３３と奥側縦フレーム材３４は、厚み方向中央面を基準として内面側と外面側が対称形状となるように形成されており、前後方向に互いに反転した状態で対向配置されている。その対向面には凹部５２が形成されている。
【００２０】
一方、中間縦フレーム材３５は、透光性を有する板状のポリカーボネート材によって構成されている。手前側縦フレーム材３３と奥側縦フレーム材３４の各凹部５２は、それぞれグレチャン５３を介して中間縦フレーム材３５の縁部を上下方向に渡って挟持している。このように、手前側縦フレーム材３３と奥側縦フレーム材３４で中間縦フレーム材３５の前縁と後縁を挟持することにより、奥行き方向に３部材からなる縦フレーム材１２を一体化している。
【００２１】
手前側縦フレーム材３３と奥側縦フレーム材３４には、それぞれ２条の溝部５０が形成されている。溝部５０は、各部材の縦方向に伸びており、断面略Ｈ形状となるように形成されていて、内面側と外面側にそれぞれ側壁を有すると共に、各部材の厚み方向中央面に底壁５０ａを有している。すなわち、溝部５０は内外面の両面に凹状の溝が表出するように形成されている。そして、溝部５０に対しては上フレーム材１０から下フレーム材１１までの領域については、カバー材５１が係合固定されており、内外面の他の部分と略面一状となるようにされている。
【００２２】
また、図２に示すように、上部棚板２０も、奥行き方向に３つの部材を連結して構成されている。この３つの部材は、手前側から順に手前側上下棚板材４０と中間棚板材４２及び奥側上下棚板材４１とからなっており、これらが連結されることで上部棚板２０を構成している。なお、下部棚板２１も同様の構造からなっている。これらの連結構造については後述する。
【００２３】
上部棚板２０と上フレーム材１０との間に設けられる方立板２５は、同形状の２枚が前後に設けられる。方立板２５は、断面中空状に形成されると共に、内部にネジ孔５６が形成されており、端面がそれぞれ上部棚板２０の上面と上フレーム材１０の下面に当接し、ネジ孔５６に対するネジ止めによって固定される。なお、棚の下部に設けられる方立板２５についても、同様の構造により下フレーム材１１と下部棚板２１との間にネジ止め固定される。
【００２４】
図３には、図１のＢ−Ｂ断面図を示している。この図に示すように、上部塞ぎ板２３は、手前側縦フレーム材３３の手前側の溝部５０に保持されるものと、奥側縦フレーム材３４の奥側の溝部５０に保持されるものの２枚が設けられる。これらは、端面がそれぞれ溝部５０の底壁５０ａに当接し、底壁５０ａの裏側からネジによって固定される。なお、下部塞ぎ板２４も、同様の構造により２枚が縦フレーム材１２に対してネジ止め固定される。
【００２５】
図４には、図１のＣ−Ｃ断面図を示している。この図に示すように、上フレーム材１０と下フレーム材１１は、同形状であると共にいずれも奥行き方向に３つの部材からなっている。この３つの部材は、手前側から順に手前側横フレーム材３０と中間横フレーム材３２及び奥側横フレーム材３１とからなっており、これらが連結されることで上フレーム材１０及び下フレーム材１１を構成している。
【００２６】
手前側横フレーム材３０と奥側横フレーム材３１は、同一形状の断面中空状に形成されたアルミ材によって構成されている。手前側縦フレーム材３３及び奥側縦フレーム材３４の場合と同様に、これらも厚み方向中央面を基準として内面側と外面側が対称形状となるように形成されており、前後方向に互いに反転した状態で対向配置されている。その対向面には嵌合凹部５４が形成されている。
【００２７】
中間横フレーム材３２も、断面中空状のアルミ材によって構成されている。その奥行き方向両端部には、それぞれ嵌合凸部５５が形成されていて、これが手前側横フレーム材３０と奥側横フレーム材３１の各嵌合凹部５４に対して嵌合することにより、３つの部材が連結され一体化される。なお、嵌合凸部５５の端面と嵌合凹部５４の底面との間には、両面粘着テープが設けられて、各部材を確実に固定するようにしている。
【００２８】
また、上フレーム材１０と下フレーム材１１の内部には、縦フレーム材１２の溝部５０の位置にそれぞれネジ孔５６が形成されており、溝部５０側からこのネジ孔５６に対してネジが挿入されることで、上フレーム材１０及び下フレーム材１１は、縦フレーム材１２に対して固定される。
【００２９】
上部棚板２０と下部棚板２１は、前述のようにいずれも奥行き方向に３つの部材を連結して構成されている。これらを構成する手前側上下棚板材４０と奥側上下棚板材４１は、手前側横フレーム材３０及び奥側横フレーム材３１と同一形状を有するように形成されている。また、中間棚板材４２は、中間横フレーム材３２と同一形状を有するように形成されている。すなわち、上部棚板２０と下部棚板２１は、上フレーム材１０及び下フレーム材１１と同形状を有するように形成され、各部材の連結構造や縦フレーム材１２に対する固定構造も、上フレーム材１０及び下フレーム材１１と同様である。
【００３０】
中棚板２２は、これも奥行き方向に３つの部材を連結して構成されている。この３つの部材は、手前側から順に手前側中棚板材４３と中間中棚板材４５及び奥側中棚板材４４とからなっており、これらが連結されることで中棚板２２を構成している。手前側中棚板材４３及び奥側中棚板材４４と中間中棚板材４５との連結構造や、縦フレーム材１２に対する固定構造は、上部棚板２０や下部棚板２１と同様である。また、中間中棚板材４５は、中間棚板材４２と同一部材により構成されている。
【００３１】
棚の背面側に設けられる背板３は、上フレーム材１０と上部棚板２０との間に設けられる上背板材１３と、上部棚板２０と下部棚板２１との間に設けられる中間背板材１５と、下部棚板２１と下フレーム材１１との間に設けられる下背板材１４とからなっている。これら各背板材は、いずれも透光性を有する板状のポリカーボネート材によって構成されている。また、各背板材の周縁部は、フレーム体１あるいは棚板２に取付けられる背板押さえ材６０によって挟持され、固定されている。
【００３２】
このように、フレーム体１及び棚板２を構成する各部材は、いずれも奥行き方向に３つの部材が連結されている。このうち、手前側の部材と奥側の部材については１種類を用意しておき、中間の部材について奥行き方向の異なる複数種類を用意しておくことで、中間の部材のみを選択することで、棚の奥行き方向寸法を様々に変化させることができる。また逆に、中間の部材について１種類を用意しておき、同形状からなる手前側の部材と奥側の部材について奥行き方向の異なる複数種類を用意し、これらのうち１つを選択することで寸法違いに対応するようにしてもよい。
【００３３】
なお、本実施形態では、中間縦フレーム材３５や背板３に、透光性を有するポリカーボネート材を用いているが、これには限られず、アクリル板であってもよいし、また透光性を有していないアルミ板等を用いるようにしてもよい。また、中間縦フレーム材３５として、中間横フレーム材３２と断面同形状の部材を用いてもよい。図５には、中間縦フレーム材３５にアルミの押出材を用いた場合の横断面図を示している。この図に示すように、手前側縦フレーム材３３と奥側縦フレーム材３４の凹部５２は、手前側横フレーム材３０と奥側横フレーム材３１の嵌合凹部５４と断面同形状であるため、中間縦フレーム材３５として中間横フレーム材３２と断面同形状の部材を用いても、その嵌合凸部５５を凹部５２に嵌合させることで、同様にこれらを連結することができる。
【００３４】
また、棚板２について、中間棚板材４２をアルミの押出材ではなく、中間縦フレーム材３５や背板３に用いられる透光性を有するポリカーボネート材としてもよい。図６には、中間棚板材４２にポリカーボネート材を用いた場合の縦断面図を示している。この図は、中棚板２２の部分について特に示している。この場合、手前側中棚板材４３及び奥側中棚板材４４は、図４等に示すものと同じであり、これらの凹部５２に対して板状の中間棚板材４２が挿入固定される。
【００３５】
中間中棚板材４５は、凹部５２の上側の開口縁に当接するように配置され、凹部５２の下側の開口縁には、ビード材６１が設けられて、中間中棚板材４５の下面を保持するようにしている。なお、図６には中棚板２２について示したが、上部棚板２０及び下部棚板２１についても同様の構造とすることができる。また、中間中棚板材４５の材質もポリカーボネート材に限られず、アクリル板等であってもよい。
【００３６】
さらに、中間中棚板材４５として、その他の形状を有するものを用いてもよい。図７には、中間中棚板材４５に仕切板５８を設けたものについて示している。この場合、中間中棚板材４５の奥行き方向中央位置には、両面にそれぞれ中央溝５７が左右方向に形成されている。すなわち、上下の棚板間で中央溝５７が対向した状態となっている。この対向する中央溝５７間に渡るように、板状の仕切板５８を取付ける。また、この場合には背板３は設けないこととする。これによって、棚板２が前後両方に開いた状態となると共に、奥行き方向中央位置で前後に遮断されることになる。これにより、棚を部屋の間仕切り材として用いた場合に、仕切った両側からそれぞれ棚を用いることができる。
【００３７】
また、図８には、中間中棚板材４５に複数凹部５９を形成したものについて示している。この場合、中間中棚板材４５は、前後の嵌合凸部５５間に複数凹部５９が形成されている。複数凹部５９は、中間中棚板材４５の底面から上方に伸びる突出片が一定間隔で複数形成されてなり、これが長手方向略全長に渡って形成されている。この複数凹部５９のそれぞれの突出片間に対して、例えばＣＤやＤＶＤなどの一定の厚みを有する物を立て掛けることができる。なお、棚板２によって透光性を有するものや複数凹部５９を有するものなどを混在させることもできる。
【００３８】
次に、本発明の第２の実施形態について説明する。第２の実施形態では、第１の実施形の棚を含む部屋の間仕切り家具について示している。図９には、本実施形態における間仕切り家具の正面図を示している。この図に示すように、間仕切り家具は、第１の棚７０と第２の棚７１を左右に配置し、その間にドア７２を配設してなるものであり、部屋を区切るために用いられる。
【００３９】
図中右側に配置される第１の棚７０は、第１の実施形態で図１に示したものと同一である。一方、図中左側に配置される第２の棚７１は、第１の棚７０のうち３枚の中棚板２２を設けていないものであり、その他の点では第１の棚７０と同じ構成を有している。
【００４０】
第１の棚７０と第２の棚７１の間に設けられるドア７２は、上下左右の枠材を枠組みしてなる枠体８０内にパネル体８１を納めて構成される。図１０には、間仕切り家具のドア７２付近の横断面図を示している。この図に示すように、第１の棚７０と第２の棚７１には、縦フレーム材１２を構成する奥側縦フレーム材３４に断面中空状のドア取付部８２がネジ止め固定されている。第２の棚７１側のドア取付部８２に対してドア７２の枠体８０は、蝶番８４を介して開閉自在に取付けられる。枠体８０の他方側には、ドアハンドル８３が設けられて、これを操作することでドア７２を開閉できるようにしている。
【００４１】
この場合においても、第１の棚７０及び第２の棚７１は、これらを構成する各部材が奥行き方向に３つの部材からなっているので、手前側の部材及び奥側の部材または中間の部材について、どちらか一方を共用化し、他方は寸法違いを複数用意することにより、奥行き方向に異なる大きさの間仕切り家具を容易に構成することができる。また、各部材、特に中間の部材について透光性を有するパネル体などを用いることで、意匠性を向上させることもできる。特に、中間縦フレーム材３５と背板３及びドア７２のパネル体８１を、いずれも共通したパネルによって構成することで、間仕切り家具全体における統一性を出すことができる。
【００４２】
以上、本発明の実施形態について説明したが、本発明の適用は本実施形態には限られず、その技術的思想の範囲内において様々に適用されうるものである。例えば、フレーム体１の縦横寸法比や棚板２の数及び配置は、これら実施形態のものには限られず任意に設定することができる。
【図面の簡単な説明】
【００４３】
【図１】第１の実施形態における棚の正面図である。
【図２】図１のＡ−Ａ断面図である。
【図３】図１のＢ−Ｂ断面図である。
【図４】図１のＣ−Ｃ断面図である。
【図５】中間縦フレーム材にアルミの押出材を用いた場合の横断面図である。
【図６】中間棚板材にポリカーボネート材を用いた場合の縦断面図である。
【図７】中間棚板材に仕切板を設けた場合の縦断面図である。
【図８】中間棚板材に複数凹部を形成した場合の縦断面図である。
【図９】第２の実施形態における間仕切り家具の正面図である。
【図１０】間仕切り家具のドア付近の横断面図である。
【符号の説明】
【００４４】
１    フレーム体
２    棚板
３    背板
１０    上フレーム材
１１    下フレーム材
１２    縦フレーム材
２０    上部棚板
２１    下部棚板
２２    中棚板
３０    手前側横フレーム材
３１    奥側横フレーム材
３２    中間横フレーム材
３３    手前側縦フレーム材
３４    奥側縦フレーム材
３５    中間縦フレーム材
４０    手前側上下棚板材
４１    奥側上下棚板材
４２    中間棚板材
４３    手前側中棚板材
４４    奥側中棚板材
４５    中間中棚板材
７０    第１の棚
７１    第２の棚
７２    ドア
【図１】
2008307112.tif 000003
【図２】
2008307112.tif 000004
【図３】
2008307112.tif 000005
【図４】
2008307112.tif 000006
【図５】
2008307112.tif 000007
【図６】
2008307112.tif 000008
【図７】
2008307112.tif 000009
【図８】
2008307112.tif 000010
【図９】
2008307112.tif 000011
【図１０】
2008307112.tif 000012